(57)【要約】【課題】  機種変更前の携帯端末装置の認証設定情報を正しく機種変更後の携帯端末装置へ提供する。【解決手段】  画像形成装置２の画像読取装置３２は、プラテングラス３２ａ上に載置された、事業者から付与された加入者ＩＤを表示した機種変更前の携帯端末装置１ａ、事業者から付与された加入者ＩＤを表示した機種変更後の携帯端末装置１、および認証設定情報が記入された記入フォームシート１０１の画像を１度のスキャンで読み取ることでスキャン画像を生成する。そして、認証設定転送部４２は、そのスキャン画像から、機種変更前の携帯端末装置１ａおよび機種変更後の携帯端末装置１の加入者ＩＤ、並びに認証設定情報を抽出し、（ｃ）両者の加入者ＩＤが互いに一致する場合、無線通信装置３４を使用して、機種変更後の携帯端末装置１へその認証設定情報を送信する。【選択図】  図２
2018107485.tif 000002
【特許請求の範囲】
【請求項１】
機種変更前の携帯端末装置におけるアプリケーションの認証設定情報を、機種変更後の携帯端末装置へ提供する認証設定システムにおいて、
事業者から付与された加入者ＩＤを表示する機種変更前の携帯端末装置と、
事業者から付与された加入者ＩＤを表示する機種変更後の携帯端末装置と、
画像読取装置および無線通信装置を備える画像形成装置とを備え、
前記画像形成装置は、（ａ）前記画像読取装置で、プラテングラス上に載置された、前記加入者ＩＤを表示した前記機種変更前の携帯端末装置、前記加入者ＩＤを表示した前記機種変更後の携帯端末装置、および前記認証設定情報が記入された記入フォームシートの画像を１度のスキャンで読み取ることでスキャン画像を生成し、（ｂ）前記スキャン画像から、前記機種変更前の携帯端末装置の前記加入者ＩＤ、前記機種変更後の携帯端末装置の前記加入者ＩＤ、および前記認証設定情報を抽出し、（ｃ）前記機種変更前の携帯端末装置の前記加入者ＩＤと前記機種変更後の携帯端末装置の前記加入者ＩＤとが互いに一致する場合、前記無線通信装置を使用して、前記機種変更後の携帯端末装置へ前記認証設定情報を送信し、前記機種変更前の携帯端末装置の前記加入者ＩＤと前記機種変更後の携帯端末装置の前記加入者ＩＤとが互いに一致しない場合、前記無線通信装置を使用して、前記機種変更後の携帯端末装置へ前記認証設定情報を送信しないこと、
を特徴とする認証設定システム。
【請求項２】
前記機種変更後の携帯端末装置は、前記認証設定情報を受信し、前記アプリケーションにおける認証設定情報の入力フィールドに関連付けて、入力候補として、受信した前記認証設定情報を表示することを特徴とする請求項１記載の認証設定システム。
【請求項３】
前記機種変更後の携帯端末装置は、前記認証設定情報を受信し、前記アプリケーションにおける認証設定情報の入力フィールド内に、受信した前記認証設定情報を入力候補として自動的に表示することを特徴とする請求項１記載の認証設定システム。
【請求項４】
前記機種変更後の携帯端末装置は、所定のピアツーピア通信方式で前記無線通信装置との間でデータ通信可能であり、
前記機種変更前の携帯端末装置は、前記所定のピアツーピア通信方式で前記無線通信装置との間でデータ通信可能ではなく、
前記無線通信装置は、前記所定のピアツーピア通信方式で前記機種変更後の携帯端末装置へ前記認証設定情報を送信し、
前記認証設定転送部は、前記無線通信装置による、前記機種変更後の携帯端末装置との接続が切断されたときに、抽出した前記認証設定情報を破棄すること、
を特徴とする請求項１記載の画像形成装置。
【請求項５】
機種変更前の携帯端末装置におけるアプリケーションの認証設定情報を、機種変更後の携帯端末装置へ提供する画像形成装置において、
画像読取装置と、
無線通信装置と、
認証設定転送部とを備え、
前記画像読取装置は、プラテングラス上に載置された、事業者から付与された加入者ＩＤを表示した前記機種変更前の携帯端末装置、事業者から付与された加入者ＩＤを表示した前記機種変更後の携帯端末装置、および前記認証設定情報が記入された記入フォームシートの画像を１度のスキャンで読み取ることでスキャン画像を生成し、
前記認証設定転送部は、前記スキャン画像から、前記機種変更前の携帯端末装置の前記加入者ＩＤ、前記機種変更後の携帯端末装置の前記加入者ＩＤ、および前記認証設定情報を抽出し、（ｃ）前記機種変更前の携帯端末装置の前記加入者ＩＤと前記機種変更後の携帯端末装置の前記加入者ＩＤとが互いに一致する場合、前記無線通信装置を使用して、前記機種変更後の携帯端末装置へ前記認証設定情報を送信し、前記機種変更前の携帯端末装置の前記加入者ＩＤと前記機種変更後の携帯端末装置の前記加入者ＩＤとが互いに一致しない場合、前記無線通信装置を使用して、前記機種変更後の携帯端末装置へ前記認証設定情報を送信しないこと、
を特徴とする画像形成装置。
【発明の詳細な説明】
【技術分野】
【０００１】
本発明は、認証設定システムおよび画像形成装置に関するものである。
【背景技術】
【０００２】
あるシステムは、携帯端末装置の機種変更時に、（ａ）機種変更前の携帯端末装置に外部メモリーが装着されると、機種変更前の携帯端末装置からその外部メモリーへ、アプリケーションファイル、アプリケーションデータファイル、アプリケーション定義ファイルなどを移動し、（ｂ）機種変更後の携帯端末装置に外部メモリーが装着されると、その外部メモリーから機種変更後の携帯端末装置へ、アプリケーションファイル、アプリケーションデータファイル、アプリケーション定義ファイルなどを移動している（例えば特許文献１参照）。
【先行技術文献】
【特許文献】
【０００３】
【特許文献１】特開２００９−２３７９３０号公報
【発明の概要】
【発明が解決しようとする課題】
【０００４】
しかしながら、例えば上述のように機種変更時に外部メモリーを使用して、各種アプリケーションのユーザーＩＤやパスワードなどの認証設定情報を機種変更前の携帯端末装置から機種変更後の携帯端末装置へ転送する場合、認証設定情報が記憶された状態で外部メモリーを持ち運びできるため、誤って別の携帯端末装置へ認証設定情報が転送されてしまう可能性があり、セキュリティ上、好ましくない。
【０００５】
本発明は、上記の問題に鑑みてなされたものであり、機種変更前の携帯端末装置の認証設定情報を正しく機種変更後の携帯端末装置へ提供する認証設定システムおよび画像形成装置を得ることを目的とする。
【課題を解決するための手段】
【０００６】
本発明に係る認証設定システムは、機種変更前の携帯端末装置におけるアプリケーションの認証設定情報を、機種変更後の携帯端末装置へ提供する認証設定システムであって、事業者から付与された加入者ＩＤを表示する機種変更前の携帯端末装置と、事業者から付与された加入者ＩＤを表示する機種変更後の携帯端末装置と、画像読取装置および無線通信装置を備える画像形成装置とを備える。そして、前記画像形成装置は、（ａ）前記画像読取装置で、プラテングラス上に載置された、前記加入者ＩＤを表示した前記機種変更前の携帯端末装置、前記加入者ＩＤを表示した前記機種変更後の携帯端末装置、および前記認証設定情報が記入された記入フォームシートの画像を１度のスキャンで読み取ることでスキャン画像を生成し、（ｂ）前記スキャン画像から、前記機種変更前の携帯端末装置の前記加入者ＩＤ、前記機種変更後の携帯端末装置の前記加入者ＩＤ、および前記認証設定情報を抽出し、（ｃ）前記機種変更前の携帯端末装置の前記加入者ＩＤと前記機種変更後の携帯端末装置の前記加入者ＩＤとが互いに一致する場合、前記無線通信装置を使用して、前記機種変更後の携帯端末装置へ前記認証設定情報を送信し、前記機種変更前の携帯端末装置の前記加入者ＩＤと前記機種変更後の携帯端末装置の前記加入者ＩＤとが互いに一致しない場合、前記無線通信装置を使用して、前記機種変更後の携帯端末装置へ前記認証設定情報を送信しない。
【０００７】
本発明に係る画像形成装置は、機種変更前の携帯端末装置におけるアプリケーションの認証設定情報を、機種変更後の携帯端末装置へ提供する画像形成装置であって、画像読取装置と、無線通信装置と、認証設定転送部とを備える。そして、前記画像読取装置は、プラテングラス上に載置された、事業者から付与された加入者ＩＤを表示した前記機種変更前の携帯端末装置、事業者から付与された加入者ＩＤを表示した前記機種変更後の携帯端末装置、および前記認証設定情報が記入された記入フォームシートの画像を１度のスキャンで読み取ることでスキャン画像を生成し、前記認証設定転送部は、前記スキャン画像から、前記機種変更前の携帯端末装置の前記加入者ＩＤ、前記機種変更後の携帯端末装置の前記加入者ＩＤ、および前記認証設定情報を抽出し、（ｃ）前記機種変更前の携帯端末装置の前記加入者ＩＤと前記機種変更後の携帯端末装置の前記加入者ＩＤとが互いに一致する場合、前記無線通信装置を使用して、前記機種変更後の携帯端末装置へ前記認証設定情報を送信し、前記機種変更前の携帯端末装置の前記加入者ＩＤと前記機種変更後の携帯端末装置の前記加入者ＩＤとが互いに一致しない場合、前記無線通信装置を使用して、前記機種変更後の携帯端末装置へ前記認証設定情報を送信しない。
【発明の効果】
【０００８】
本発明によれば、機種変更前の携帯端末装置の認証設定情報が正しく機種変更後の携帯端末装置へ提供される。
【０００９】
本発明の上記又は他の目的、特徴および優位性は、添付の図面とともに以下の詳細な説明から更に明らかになる。
【図面の簡単な説明】
【００１０】
【図１】図１は、本発明の実施の形態に係る認証設定システムの構成を示す図である。
【図２】図２は、図１における携帯端末装置１および画像形成装置２の構成を示すブロック図である。
【図３】図３は、記入フォームシートの一例を示す図である。
【図４】図４は、図１における画像読取装置３２に載置された携帯端末装置１，１ａの一例を示す斜視図である。
【図５】図５は、図１および図２に示す認証設定システムの動作を説明するシーケンス図である。
【発明を実施するための形態】
【００１１】
以下、図に基づいて本発明の実施の形態を説明する。
【００１２】
図１は、本発明の実施の形態に係る認証設定システムの構成を示す図である。この認証設定システムは、特定の通信事業者の携帯電話網を利用可能な携帯端末装置（携帯電話機、スマートフォンなど）の機種変更（つまり、通信事業者との契約上の電話番号などのＩＤに割り当てるデバイスの変更）の際の、機種変更後の携帯端末装置に対するアプリケーションの認証設定情報（ユーザーＩＤおよびパスワードなど）の入力に使用される。
【００１３】
図１に示すシステムでは、携帯端末装置１が、機種変更後の携帯端末装置であって、携帯端末装置１ａが機種変更前の携帯端末装置である。携帯端末装置１および携帯端末装置１ａには、それぞれ、利用時にユーザーの認証設定情報（ユーザーＩＤおよびパスワードなど）を要求する各種アプリケーションがインストールされている。画像形成装置２（複合機、コピー機、ファクシミリ機など）が、通信事業者またはその代理店のショップに配置されており、画像形成装置２を使用して、機種変更後の携帯端末装置１に対してアプリケーションの認証設定情報が提供される。つまり、画像形成装置２は、機種変更前の携帯端末装置１ａにおけるアプリケーションの認証設定情報を、機種変更後の携帯端末装置１へ提供する。
【００１４】
また、機種変更時には、その通信事業者の事業者サーバー３によって、機種変更前の携帯端末装置１ａと同一の加入者ＩＤ（電話番号、事業者により付与されるユーザーＩＤなど）が、機種変更後の携帯端末装置１ａに割り当てられる。
【００１５】
図１に示すシステムでは、画像形成装置２は、機種変更後の携帯端末装置１は、Ｗｉ−Ｆｉ  Ｄｉｒｅｃｔ（登録商標）、ブルートゥース（登録商標）などの所定のピアツーピア通信方式で、画像形成装置２との間でデータ通信が可能となっている。一方、機種変更前の携帯端末装置１ａは、その所定のピアツーピア通信方式で、画像形成装置２との間でデータ通信が可能となっていない。これにより、画像形成装置２は、当該ピアツーピア通信方式で、機種変更後の携帯端末装置１および機種変更前の携帯端末装置１ａのうち、機種変更後の携帯端末装置１を選択して、データ通信を行うことができる。
【００１６】
図２は、図１における携帯端末装置１および画像形成装置２の構成を示すブロック図である。なお、携帯端末装置１ａの構成は、携帯端末装置１と同様である。
【００１７】
携帯端末装置１は、例えばスマートフォンなどのポータブルデバイスであって、無線通信装置１１、携帯電話網通信装置１２、表示装置１３、入力装置１４、記憶装置１５、演算処理装置１６などを備える。
【００１８】
無線通信装置１１は、無線ＬＡＮ（Local Area Network）、ブルートゥース（登録商標）などの所定の無線通信規格でデータ通信を行う内部装置である。上述のピアツーピア通信方式の無線通信は、無線通信装置１１により行われる。
【００１９】
携帯電話網通信装置１２は、携帯電話網に接続可能な無線通信装置であって、データ通信および音声通信を行う。
【００２０】
表示装置１３は、ユーザーに対して操作画面などを表示する液晶ディスプレイなどといった内部装置である。入力装置１４は、ユーザー操作を検出するタッチパネルなどといった内部装置である。
【００２１】
記憶装置１５は、フラッシュメモリー、ハードディスクなどの不揮発性の記憶装置である。記憶装置１５には、プログラム２１などが記憶されている。
【００２２】
演算処理装置１６は、ＣＰＵ（Central Processing Unit）、ＲＡＭ（Random Access Memory）、ＲＯＭ（Read Only Memory）などを有するコンピューターであり、プログラム２１をＲＡＭにロードしＣＰＵで実行することで、認証設定部２２を実現する。
【００２３】
携帯端末装置１の認証設定部２２は、当該携帯端末装置１に関連付けられている加入者ＩＤを表示装置１３に表示するとともに、無線通信装置１１を使用して上述のピアツーピア通信方式で画像形成装置２から認証設定情報（アプリケーションのユーザーＩＤおよびパスワードなど）を受信する。
【００２４】
また、携帯端末装置１の認証設定部２２は、受信した認証設定情報に基づいて、対応するアプリケーションにおける認証設定情報の入力フィールド（例えば、認証設定情報の登録画面におけるユーザーＩＤおよびパスワードの入力フィールド）に関連付けて、入力候補として、受信した認証設定情報を表示する。例えば、入力フィールドに隣接させて、その認証設定情報が入力候補として表示されたり、入力フィールドに対するプルダウンメニュー内に、その認証設定情報が入力候補として表示されたりする。
【００２５】
あるいは、携帯端末装置１の認証設定部２２は、受信した認証設定情報に基づいて、対応するアプリケーションにおける認証設定情報の入力フィールド内に、受信した認証設定情報を入力候補として自動的に表示する。
【００２６】
また、可能であれば、認証設定部２２は、受信した認証設定情報を、対応するアプリケーションに自動的に適用してもよいし、単に、ユーザーに対してリスト表示するようにしてもよい。
【００２７】
なお、携帯端末装置１ａの認証設定部２２は、当該携帯端末装置１ａに関連付けられている加入者ＩＤを表示装置１３に表示するが、上述のピアツーピア通信方式での画像形成装置２との無線通信を行えないため、認証設定情報を受信しない。
【００２８】
一方、図２において、画像形成装置２は、登録された複数のユーザーにより使用される複合機などであって、印刷装置３１、画像読取装置３２、操作パネル３３、無線通信装置３４、有線通信装置３５、およびコントローラー３６を備える。
【００２９】
印刷装置３１は、印刷画像データに基づいて１ページずつ画像を印刷用紙に電子写真方式で印刷する内部装置である。
【００３０】
画像読取装置３２は、プラテングラス上の物体の画像を光学的にスキャンして読み取り、そのスキャン画像の画像データを生成する内部装置である。
【００３１】
操作パネル３３は、画像形成装置２の筐体表面に配置され、ユーザーに対して各種情報を表示する表示装置と、ユーザー操作を受け付ける入力装置とを有する。表示装置としては例えば液晶ディスプレイが使用される。入力装置としては、キースイッチ、タッチパネルなどが使用される。
【００３２】
無線通信装置３４は、無線ＬＡＮ、ブルートゥース（登録商標）などの所定の無線通信規格でデータ通信を行う内部装置である。上述のピアツーピア通信方式の無線通信は、無線通信装置３４により行われる。
【００３３】
有線通信装置３５は、有線ＬＡＮなどのネットワークに接続され、そのネットワークに接続された他の装置とデータ通信を行う回路である。
【００３４】
また、コントローラー３６は、コンピューター、ＡＳＩＣ（Application Specific Integrated Circuit）などを有し、画像形成装置２内の内部装置を制御するとともに各種データ処理を実行する。コントローラー３６は、認証設定転送部４２として動作する。
【００３５】
図３は、記入フォームシートの一例を示す図である。例えば図３に示すような記入フォームシート１０１が用意される。記入フォームシート１０１には、アプリケーションの名称、並びにそのアプリケーションのユーザーＩＤおよびパスワードの記入欄がある。機種変更時に、このような記入フォームシート１０１が携帯端末装置１，１ａのユーザーに渡され、携帯端末装置１，１ａのユーザーが、アプリケーションごとに、アプリケーションの名称、ユーザーＩＤおよびパスワードを記入する。
【００３６】
図４は、図１における画像読取装置３２に載置された携帯端末装置１，１ａの一例を示す斜視図である。
【００３７】
画像読取装置３２は、図４に示すように画像読取装置３２のプラテングラス３２ａ上に載置された、事業者から付与された加入者ＩＤを表示した機種変更前の携帯端末装置１ａ、事業者から付与された加入者ＩＤを表示した機種変更後の携帯端末装置１ａ、および認証設定情報が記入された記入フォームシート１０１の画像を１度のスキャンで読み取ることでスキャン画像を生成する。
【００３８】
携帯端末装置１および携帯端末装置１ａの認証設定部２２は、それぞれ、入力装置１４に対するユーザー操作に従って、自己の加入者ＩＤを含む特定画面を表示装置１３に表示する。ユーザーは、その状態で、表示面を下向きにして、携帯端末装置１および携帯端末装置１ａをプラテングラス３２ａに載置する。これにより、画像読取装置３２により得られるスキャン画像内に、記入フォームシート１０１に記入された認証設定情報の画像とともに、それらの加入者ＩＤの画像が含まれる。
【００３９】
なお、携帯端末装置１および携帯端末装置１ａの認証設定部２２が、加入者ＩＤとして、加入者ＩＤを示す可視コード（加入者ＩＤをエンコードしたＱＲコード（登録商標）などの可視コード）を含む特定画面を表示装置１３で表示し、画像形成装置２は、スキャン画像内で可視コードを検出し、可視コードをデコードして加入者ＩＤを特定するようにしてもよい。
【００４０】
認証設定転送部４２は、生成されたスキャン画像から、機種変更前の携帯端末装置１ａの加入者ＩＤ、機種変更後の携帯端末装置１の加入者ＩＤ、および認証設定情報を抽出し、機種変更前の携帯端末装置１ａの加入者ＩＤと機種変更後の携帯端末装置１の加入者ＩＤとが互いに一致する場合、無線通信装置１１を使用して、上述のピアツーピア通信方式で、機種変更後の携帯端末装置１へその認証設定情報を送信する。
【００４１】
なお、記入フォームシート１０１が図３に示すような手書き形式のものである場合には、記入された名称、ユーザーＩＤおよびパスワードは、例えばＯＣＲ（Optical Character Recognition）技術で特定される。また、記入フォームシート１０１はマークシート形式でもよく、その場合には、ユーザーによるマークの位置およびパターンに基づいて、記入された名称、ユーザーＩＤおよびパスワードが特定される。
【００４２】
次に、上記認証設定システムの動作について説明する。図５は、図１および図２に示す認証設定システムの動作を説明するシーケンス図である。
【００４３】
まず、通信事業者のオペレーター（ショップ店員など）が、記入フォームシート１０１を携帯端末装置１，１ａのユーザーに渡して、ユーザーに、携帯端末装置１ａにインストールされているアプリケーションの認証設定情報を記入してもらい、そのようなアプリケーションの認証設定情報が記入された記入フォームシート１０１を回収する。また、オペレーター（またはユーザー）は、携帯端末装置１，１ａを操作して、加入者ＩＤをそれぞれ表示させる（ステップＳ１，Ｓ２）。
【００４４】
そして、オペレーターは、記入フォームシート１０１、機種変更前の携帯端末装置１ａ、および機種変更後の携帯端末装置１をプラテングラス３２ａ上に載置し、所定の操作を画像形成装置２に対して行う。
【００４５】
画像形成装置２の認証設定転送部４２は、操作パネル３３によりその操作が検出されると、画像読取装置３２に、プラテングラス３２ａ上の記入フォームシート１０１、機種変更前の携帯端末装置１ａ、および機種変更後の携帯端末装置１の画像スキャンを実行させ、スキャン画像を取得する（ステップＳ３）。
【００４６】
次に、認証設定転送部４２は、そのスキャン画像から、機種変更前の携帯端末装置１ａの加入者ＩＤおよび機種変更後の携帯端末装置１の加入者ＩＤを抽出し、両者が一致するか否かを判定する（ステップＳ４）。
【００４７】
両者が一致した場合、認証設定転送部４２は、そのスキャン画像から、記入フォームシート１０１に記入されたアプリケーションごとの認証設定情報（ユーザーＩＤおよびパスワード）を特定し（ステップＳ５）、無線通信装置３４を使用して、抽出した加入者ＩＤを有する機種変更後の携帯端末装置１へ送信する（ステップＳ６）。なお、両者が一致しない場合、認証設定転送部４２は、ピアツーピア通信方式での無線通信による認証設定情報の送信を行わない。
【００４８】
機種変更後の携帯端末装置１は、その認証設定情報を受信すると、記憶装置１５に保存し、上述のようにユーザーが機種変更後の携帯端末装置１へアプリケーションの認証設定情報を登録するタイミングで、その認証設定情報をユーザーに提示する（ステップＳ７）。ユーザーは、提示された認証設定情報を利用して、機種変更後の携帯端末装置１に対して、認証設定情報を簡単に入力することができる。
【００４９】
以上のように、上記実施の形態によれば、画像形成装置２の画像読取装置３２は、プラテングラス３２ａ上に載置された、事業者から付与された加入者ＩＤを表示した機種変更前の携帯端末装置１ａ、事業者から付与された加入者ＩＤを表示した機種変更後の携帯端末装置１、および認証設定情報が記入された記入フォームシート１０１の画像を１度のスキャンで読み取ることでスキャン画像を生成する。そして、画像形成装置２の認証設定転送部４２は、そのスキャン画像から、機種変更前の携帯端末装置１ａの加入者ＩＤ、機種変更後の携帯端末装置１の加入者ＩＤ、および認証設定情報を抽出し、（ｃ）機種変更前の携帯端末装置１ａの加入者ＩＤと機種変更後の携帯端末装置１の加入者ＩＤとが互いに一致する場合、無線通信装置３４を使用して、機種変更後の携帯端末装置１へその認証設定情報を送信する。
【００５０】
これにより、機種変更前の携帯端末装置１ａに設定していた認証設定情報が、機種変更前の携帯端末装置１ａに対応する機種変更後の携帯端末装置１に対して確実に提供される。つまり、スキャン画像内の両者の加入者ＩＤが一致しない場合には、認証設定情報が送信されないため、誤って別の携帯端末装置へ認証設定情報が送信されることがない。
【００５１】
また、事業者オペレーターによる機種変更後の携帯端末装置１に対する設定入力作業が減るため、機種変更に要する時間が短くなる。
【００５２】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００５３】
例えば、上記実施の形態において、画像形成装置２の認証設定転送部４２は、無線通信装置３４による、機種変更後の携帯端末装置１との接続（ピアツーピア通信での接続）が切断されたときに、抽出した認証設定情報を破棄するようにしてもよい。これにより、認証設定情報が自動的に消去されるため、セキュリティ上、好ましい。
【産業上の利用可能性】
【００５４】
本発明は、例えば、画像形成装置に適用可能である。
【符号の説明】
【００５５】
１  携帯端末装置（機種変更後の携帯端末装置の一例）
１ａ  携帯端末装置（機種変更前の携帯端末装置の一例）
２  画像形成装置
３２  画像読取装置
３４  無線通信装置
４２  認証設定転送部
【図１】
2018107485.tif 000003
【図２】
2018107485.tif 000004
【図３】
2018107485.tif 000005
【図４】
2018107485.tif 000006
【図５】
2018107485.tif 000007